(57)【要約】      （修正有）【課題】開度をロックしている溝が見やすい位置にあり開度の確認が容易なレバーハンドル付バタフライ弁を得ること。【解決手段】基板１０と支柱１１で、開度指示板１をレバーハンドル３の上の位置に保持する。レバーハンドル３とロックレバー５を一緒に握りばね７を圧縮して、ロックレバー５を反時計回りに少し回転させると先端８が反時計回りに回転して下方に動き、溝から外れる。次に握ったままレバーハンドル３を回して望む開度へ動かし、先端８を望む開度の溝に合わせ、レバーハンドル３から手を放すとロックレバー５はばね７の力で時計方向に回って先端８が溝にはまりロック状態になる。開度をロックする溝を有する開度指示板１をレバーハンドル３より上の位置にして、ロックしている溝が常時見えるようにする。【選択図】図３
2013100892.tif 000002
【特許請求の範囲】
【請求項１】
開度をロックする溝を有する開度指示板をレバーハンドルより上の位置に設けて、レバーハンドルで隠れないようにし、レバーハンドルにはロックレバーを設けて、前記の溝にロックレバーの先端がはまって開度をロックするようにしたことを特徴とするレバーハンドル付バタフライ弁またはボール弁。
【発明の詳細な説明】
【技術分野】
【０００１】  本発明は、配管に用いる弁に、弁種ではバタフライ弁に、弁の操作方法では手動に属する。
【背景技術】
【０００２】手動の小口径バタフライ弁は、一般にレバーハンドル付であるが、レバーハンドルのために、弁の開度が分かり難いという問題がある。
バタフライ弁は開閉トルクが小さいので、ハンドルをロックしないと弁体に作用する流体からの力やハンドルに加えられる少しの力で開度が変わってしまう。そのために開度のロック（ハンドルのロック）が必要である。
レバーハンドル付バタフライ弁は全閉、全開、と中間開度の数か所でロックするようになっている。このロックする機構は開度表示を兼ねているが、それがレバーハンドルの下にあるので分かり難いのである。【０００３】この問題を図１で説明する。
図１はレバーハンドル付バタフライ弁の開度指示板から上の部分の上面図である。
１はバタフライ弁のボンネットフランジに取付けた開度指示板である。２は開度指示板に設けた開度をロックする溝である。溝２は垂直中心線にあるのが全閉、水平中心線にあるのが全開で、全閉〜全開の間にあるのが中間開度の溝である。溝の数は閉〜開の９０度を等分して設け、６、８、９、１０等分などから選ばれる。
３はバタフライ弁の弁棒に取付けたレバーハンドルで、この図のレバーハンドルは中間開度にある。【０００４】開度のロックはレバーハンドル３に設けたロックレバーを溝２に差し込んで行う。そのロックする溝２はレバーハンドル３の下側にあり上からは見えない。
図１は溝２を、開〜閉の間の角度９０度を６等分した位置に設けた例であるが、ロックしている溝２はレバーハンドル３の中心線の下側で全く見えず、その両側の溝が少し見えている。従って真上からでは溝２の何番目でロックしているのか分からない。そのために開度の確認はレバーハンドル３の横からのぞきこまないとできない。また、開度を変えるときは、溝２の中心とレバーハンドル３の中心を合わせる必要があり、見えないために合わせる操作がし難い。
【発明の開示】
【発明が解決しようとする課題】
【０００５】開度をロックしている溝が見やすい位置にあり開度の確認が容易なレバーハンドル付バタフライ弁を得ること。
【課題を解決するための手段】
【０００６】開度をロックする溝を有する開度指示板をレバーハンドルより上の位置にして、ロックしている溝が常時見えるようにする。
【発明の効果】
【０００７】遠くからはレバーハンドルの向きで全開、全閉、中間開度が分かり、近付けばロックしている溝が分かるので、開度を見誤ることがない。また、溝が全て見えるので操作を誤ることがない。操作時には溝とロックレバーの先端が見えているので、両者を合わせるのが容易である。そのために、操作を素早くすることができる。【０００８】本発明は、ボンネットがバタフライ弁と同じ構造のボール弁、セグメントボール弁、流量調節弁などに使うことができる。
【発明の実施するための最良の形態】
【実施例１】
【０００９】図２および図３で説明する。
図２は本発明のレバーハンドル付バタフライ弁のボンネットから上の部分の上面図、図３は図２の側面図である。
１は開度指示板、２は開度指示板１に設けた開度をロックする溝である。３は弁棒に取付けられたレバーハンドル、４はレバーハンドル３の中央に設けた長穴である。
５はロックレバー、６はピンで、ロックレバー５はレバーハンドル３の長穴４に差し込まれピン６でレバーハンドル３に回転可能に取付けられている。７はばねでレバーハンドル３とロックレバー５との間に取付けられ、ロックレバー５を時計回りに回転するように負勢している。【００１０】８はロックレバー５の先端で溝２にはまる部分、９はロックレバー５の時計回りの回転を止める回り止めである。
１０は弁箱のボンネットフランジＦに取付けられた基板、１１は開度指示板を支える支柱、１２はボルト・ナットである。図のボルトは丸頭角根ボルトである。【００１１】組立について説明する。
最初に基板１０をボンネットフランジＦに取付ける。ボンネットフランジＦは弁種、弁メーカーによって位置や寸法が異なるが、ボルト２本か４本で取付ける。
次に、レバーハンドル３にロックレバー５をピン６で取付けたものを弁棒Ｓに取付ける。
次に基板１０に支柱１１を載せ、支柱１１上に開度指示板１を載せてボルト・ナット１２で締付ける。
最後にばね７をレバーハンドル３とロックレバー５の間に取付けて組立て完了となる。【００１２】操作について説明する。
操作は先ずレバーハンドル３とロックレバー５を一緒に握りばね７を圧縮して、ロックレバー５を反時計回りに少し回転させる。そうすると先端８が反時計回りに回転して下方に動き、溝２から外れる。
次に握ったままレバーハンドル３を回して望む開度へ動かし、先端８を望む開度の溝２に合わせる。
合ったならばレバーハンドル３から手を放す。そうするとロックレバー５はばね７の力で時計方向に回って先端８が溝２にはまりロック状態になる。先端８と溝２の間に隙間がある場合は、回り止め９が開度指示板の下面に当たって回転が止まり、隙間分だけガタツキのあるロック状態になる。【００１３】この操作で、全開と全閉の場合は、レバーハンドル３が支柱１１に当たって止まり（図２の上部参照）、全開または全閉を通り過ぎないようになっている。
【実施例２】
【００１４】開度指示板１を支える別の例について説明する
上述の基板１０と支柱１１の機能は、開度指示板１をレバーハンドル３の上の位置に保持することであるがこの機能を満足すれば別の方法でもかまわない。基板１０に支柱１１の機能を付加して支柱１１を使わない、または、基板１０は変えずに開度指示板に支柱の機能を付加して支柱１１を用いないなどである。【００１５】基板１０に支柱１１の機能を付加した例を図４で説明する。
図４は、基板１０の外周部を折り曲げて支柱１１の代わりにした例で、その上面図である。外側を囲んでいる２点鎖線は図２の開度指示板１の輪郭を示す。１３は新基板で１４は弁棒が通る穴、１５はボルト・ナット１２のボルトが通る穴である。１６および１７が紙面直角方向に折り曲げで支柱１１の代わりをする。１８は折り曲げ１７の端面で全開のときレバーハンドルがこの面に当たって止まる。従って新基板１３は基板１０と支柱１１が一体になったものとして扱うことができる。
【実施例３】
【００１６】基板１０の代わりにボンネットフランジＦを使う方法を説明する。
バタフライ弁のボンネットフランジＦは開度指示板１を取付けるために、ボルト穴が２個または４個ある。このボルト穴の２個がボルト・ナット１２を通す穴として利用できれば、基板１０を省略して、支柱１１を載せ、その上に開度指示板１を載せてボルト・ナット１２で締付けることができる。
【実施例４】
【００１７】回り止め９を設けない方法を説明する。
実施例１は、溝２と先端８の間に隙間がある場合に、先端８が溝２を通り抜けないように回り止め９を設けている。この隙間は開度ロックのガタツキとなるので、隙間がないのが望ましい場合がある。そのためには、先端８が開度をロックする方向に動くときに先端８が溝２に当たって止まり通り抜けなければよい。そうすれば回り止め９が不要になる。
先端８は図３で時計回りに下から左上に動くので水平方向の動きと垂直方向の動きに分けて通り抜け防止の方法について説明する。【００１８】先端８の水平方向の動きは、Ｖ字形の溝２にＶ字形の先端８が突っ込んで行き、溝２に当たって止まる。従って、溝２と先端８のＶ字の角度を大きくすれば突っ込み量が小さくてもすぐ突き当りになる。
また、ピン６を図３の位置より左上の先端８に近い位置にすれば水平方向の動き（突っ込む量）が大きくなる。
これらの方法は、水平方向の動きを大きくできる、レバーハンドル３が短くロックレバー５が短い小口径弁に適している。【００１９】先端８が垂直方向にだけ動くとすれば、溝２を先端８は通り抜けてしまう。通り抜けを防止するには、先端８の形状を、上が狭く下が広い台形にし、上の幅は溝２より狭くして溝２に対し隙間を設け、下の幅は広くして通り抜けないようにする。
この方法は垂直方向の動きが主になるレバーハンドル３が長くロックレバーが長い大口径弁に適している。
【図面の簡単な説明】
【００２０】
【図１】レバーハンドル付バタフライ弁の開度指示板から上の上面図
【図２】本発明のレバーハンドル付バタフライ弁のボンネットから上の部分の上面図
【図３】図２の側面図
【図４】開度指示板を支える別の例の上面図
【符号の説明】
【００２１】１：開度指示板    ２：溝    ３：レバーハンドル    ４：長穴
５：ロックレバー    ６：ピン    ７：ばね    ８：先端    ９：回り止め
１０：基板    １１：支柱    １２：ボルト・ナット    １３：新基板
１４：弁棒用の穴    １５：ボルト用の穴    １６、１７：折り曲げ    １８：端面
Ｆ：ボンネットフランジ    Ｓ：弁棒
【図１】
2013100892.tif 000003
【図２】
2013100892.tif 000004
【図３】
2013100892.tif 000005
【図４】
2013100892.tif 000006